Podtech/llm-jp-corpus-v4-ja_patent huggingface dataset:
(57)【要約】      （修正有）【課題】汗等で滑ることなく、また、力の弱い子供、高齢者、女性でも容易にペットボトルの蓋が開けることが出来るペットボトルの蓋を提供する。【解決手段】ペットボトルＣの蓋Ａに蓋を成形する時に同時に指かかりＢを設ける。使用に当たっては、左手でペットボトルＣを支え、右手でペットボトルＣの蓋Ａを握り、左右に回すことにより、ペットボトルＣの蓋Ａを容易に開閉できる。【選択図】図１
0003176622.tif 000002
【実用新案登録請求の範囲】
【請求項１】
飲料水その他のペットボトルの蓋に、指かかりを設けた蓋。
【考案の詳細な説明】
【技術分野】
【０００１】  本考案は、ペットボトルの蓋部分に指かかりを設けた蓋である。
【背景技術】
【０００２】  従来のペットボトルの蓋は小さく、汗等で滑る為、力の弱い子供、高齢者、女性などにはペットボトルの蓋が開けにくかった。
【考案の概要】
【考案が解決しようとする課題】
【０００３】  今までのペットボトルの蓋は小さく、汗等で滑る為、力の弱い子供、高齢者、女性にはペットボトルの蓋が開けにくかった。
【課題を解決するための手段】
【０００４】  ペットボトルの蓋部分に、指かかりを設ける。
【考案の効果】
【０００５】  ペットボトルの蓋部分に、指かかりを設けることにより、ペットボトルの蓋を開ける時に指が指かかりにかかり、滑らずに弱い力でも容易にペットボトルの蓋を開けることが可能となる。
【図面の簡単な説明】
【０００６】
【図１】Ｃはペットボトル本体、Ｄはペットボトル口部、Ａはペットボトルの蓋、Ｂはペットボトルの蓋部分に指かかりを設けた部分の実施例を示す一部切欠断面図の立面図である。
【図２】Ｃはペットボトル本体、Ｄはペットボトル口部、Ａはペットボトルの蓋、Ｂはペットボトルの蓋部分に指かかりを設けた部分の実施例を示す一部切欠断面図の平面図である。
【考案を実施するための形態】
【０００７】  ペットボトルの蓋に指かかりを設け、仮に左手でペットボトルを支え、右手でペットボトルの蓋を握り、左右に回すと、ペットボトルの蓋が容易に開閉できる。
【実施例】
【０００８】  以下添付図面に従って、実施例を説明する。
Ｃは、ペットボトル本体である、Ｄはペットボトル口部、Ａはペットボトルの蓋、Ｂはペットボトルの蓋部分に指かかりを設けたペットボトルの蓋である。
【産業上の利用可能性】
【０００９】  これまで、非力などで利用を控えていた隠れた消費者に対して、需要の掘り起こしが見込まれ、消費量の増大を見込める事と、ペットボトルの蓋に指かかりを付加する事は簡単な成型技術で対応できるため利用価値は高いものと想定する。
また、これまで開けられなかった消費者の尊厳の回復にも寄与するものと思慮する。
【符号の説明】
【００１０】  Ａ    ペットボトルの蓋
Ｂ    ペットボトルの蓋に指かかりを設けた部分
Ｃ    ペットボトル本体
Ｄ    ペットボトルの蓋の口部
【図１】
0003176622.tif 000003
【図２】
0003176622.tif 000004
(57)【要約】      （修正有）【課題】塵芥収集車の塵芥収容箱内火災検知装置の、埃や水蒸気による誤作動を防止するための装置を提供する。【解決手段】塵芥収集車１の塵芥収容箱２天井部外側に、塵芥収容箱内部に散水するための散水ノズル５を備えた散水装置を取付け、塵芥収集車１の運転席に散水装置４の作動装置を装着した。埃や水蒸気により、塵芥収容箱内火災検知装置に誤作動が生じた場合や、誤作動が生じる恐れがある場合に、散水装置を作動させれば、誤作動を防止することができる。【選択図】図１
0003176623.tif 000002
【実用新案登録請求の範囲】
【請求項１】
塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車において、前記塵芥収集車の塵芥収容箱天井部外側に、塵芥収容箱内部に散水するための散水ノズルを備えた散水装置を取付け、前記塵芥収集車の運転席に該散水装置の作動装置を装着したことを特徴とする塵芥収容箱内火災検知装置の誤作動防止装置。
【請求項２】
前記散水装置の水タンクに水を補充する場合に、前記塵芥収容箱の外部側面に、外部の水道ホースを接続することにより、前記水タンクへ水を補充できる外部ホース用ジョイントを装備したこと特徴とする請求項１に記載の塵芥収容箱内火災検知装置の誤作動防止装置。
【請求項３】
前記外部の水道ホースと前記散水ノズルにつながるホースとを直接、接続させて水を供給できる切替装置を装備したことを特徴とする請求項１に記載の塵芥収容箱内火災検知装置の誤作動防止装置。
【考案の詳細な説明】
【技術分野】
【０００１】  本考案は、塵芥収集車の塵芥収容箱内において火災が発生した場合に、早期に検知してこれを運転席に知らせる検知装置が、埃や水蒸気などにより誤作動することを防止するための装置に関する。
【背景技術】
【０００２】  従来の塵芥収集車の塵芥収容箱内火災の検知装置は、特許文献１には、塵芥収容箱と、塵芥収容箱の後部上端側に軸支された塵芥投入箱との連通した部分にある隙間上部に煙感知器を設置した検知装置がある。【０００３】  また、特許文献２には、塵芥収容箱の塵芥室と塵芥投入箱の積込装置とを区分けするように、塵芥投入箱の幅方向全体に亘って延設された遮蔽板の上部に、煙が流入可能な煙流入孔を有する煙収容部と、この煙収容部内の煙を検知する煙検知装置を備えたものがある。【０００４】  また、実用新案文献３には、塵芥収容箱の内部に火災発生を検知するセンサーを取り付けるとある。
【先行技術文献】
【特許文献】
【０００５】
【特許文献１】特開２００３−２６３０３  号公報
【特許文献２】特開２０１０−２３５３０６  号公報
【実用新案文献３】
実用新案登録第３０８４５３２号公報
【考案の概要】
【考案が解決しようとする課題】
【０００６】  しかしながら、前記先行技術文献には、埃や水蒸気などにより誤作動が発生する場合があるにもかかわらず、誤作動に対する対策がなされていない。【０００７】  以上のことから、本考案は、塵芥収集車の塵芥収容箱内火災検知装置の誤作動を防止するための装置を提供することを目的とする。
【課題を解決するための手段】
【０００８】  以上の課題を解決するために、請求項１の考案は、塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車において、前記塵芥収集車の塵芥収容箱天井部外側に、塵芥収容箱内部に散水するための散水ノズルを備えた散水装置を取付け、前記塵芥収集車の運転席に該散水装置の作動装置を装着したことを特徴とする塵芥収容箱内火災検知装置の誤作動防止装置である。【０００９】  請求項２の考案では、前記散水装置の水タンクに水を補充する場合に、前記塵芥収容箱の外部側面に、外部の水道ホースを接続することにより、前記水タンクへ水を補充できる外部ホース用ジョイントを装備したこと特徴とする。【００１０】  請求項３の考案では、前記外部の水道ホースと前記散水ノズルにつながるホースとを直接、接続させて水を供給できる切替装置を装備したことを特徴とする。
【考案の効果】
【００１１】  請求項１の考案によれば、埃や水蒸気により、塵芥収容箱内火災検知装置に誤作動が生じた場合や、誤作動が生じる恐れがある場合に、散水装置を作動させれば、誤作動を防止することができる。【００１２】  請求項２の考案によれば、散水装置を作動させて、水タンクの中の水がなくなった場合に、天井部まで上がる手間がなく、簡単に水を補充できる。【００１３】  請求項３の考案によれば、埃や水蒸気により、塵芥収容箱内火災検知装置に誤作動が生じた場合や、誤作動が生じる恐れがある場合で、大量の水が必要な場合には、切替装置により、外部の水道ホースと散水ノズルにつながるホースとを直接、接続させて水を供給できる。
【図面の簡単な説明】
【００１４】
【図１】本考案の一実施形態を示す塵芥収集車の概略側面図である。
【考案を実施するための形態】
【００１５】  本考案に係る一実施形態を、図１を参照して以下説明する。
【実施例】  塵芥収集車１の塵芥収容箱２天井部外側に、塵芥収容箱２内部に散水するための散水ノズル５と、該散水ノズル５とポンプ７と水タンク８をつなぐホース６とから構成される散水装置を装備した。さらに、塵芥収集車の運転席１ａに散水装置の作動装置４を装着した。また、塵芥収容箱２の外部側面で、塵芥投入箱３に隣接する所に、水タンク８とホース１３でつながり、外部の水道ホース１２を差し込む外部ホース用ジョイント１１を装備した。さらにまた、該外部ホース用ジョイント１１の近くに、切替ジョイント９とつながる、ワイヤー式切替フック１０を装備した。【００１６】  本実施例によれば、塵芥収容箱２内部に散水ノズル５より散水することにより、埃や水蒸気をなくし、塵芥収容箱内火災検知装置の誤作動を防止できる。また、水タンクへの補充も簡単にできる。さらに、誤作動防止のため、大量の水が必要な場合にも対応できる。今回、水タンク８には、水を入れたが、蒸発しにくいことを考慮すると、不燃性の溶液でもよい。また、今回は、水タンク８やポンプ７を塵芥収容箱２の天井部外側に装備したが、塵芥収容箱２の下部など、他の場所でもよい。
【符号の説明】
【００１７】  １  塵芥収集車
１ａ塵芥収集車の運転席
２  塵芥収容箱
３  塵芥投入箱
４  散水装置の作動装置
５  散水ノズル
６  ホース
７  ポンプ
８  水タンク
９  切替ジョイント
１０  ワイヤー式切替フック
１１  外部ホース用ジョイント
１２  外部の水道ホース
１３  ホース
【図１】
0003176623.tif 000003
(57)【要約】      （修正有）【課題】靴下のつま先部分や踵部分に適した靴下補修用ワンタッチパッチを提供する。【解決手段】靴下補修用ワンタッチパッチ本体は、はがき形状の大きさのシートの上部に靴下にできた孔を塞ぐ各種色彩の伸縮性の布と粘着層と剥離紙で構成されており、靴下のつま先部分又は踵の形状に倣ってフィットし得る伸縮性を得る布に丸型，四角型、楕円型、ハート型等の各種形状の模様からなり、非固着性シートの上部伸縮性の布と粘着層のみを抜き型で抜き、非固着性シートから容易にはがれる。【選択図】図１
0003176621.tif 000002
【実用新案登録請求の範囲】
【請求項１】
靴下にできた孔を塞ぐ布製のワンタッチパッチであって、本考案の靴下補修用ワンタッチパッチ本体１は、はがき形状の大きさのシートの上部に靴下にできた孔を塞ぐ各種色彩の伸縮性の布２と粘着層３と剥離紙４で構成されたことを特徴とする靴下補修用ワンタッチパッチ。
【請求項２】
靴下のつま先部分又は踵の形状に倣ってフィットし得る伸縮性の布に丸型、四角型、楕円型、ハート型等の各種形状の模様からなり、剥離紙の上部に伸縮性の布と粘着層のみを抜き型で抜き、剥離紙から容易にはがし、靴下の表側、又は裏側から貼ることを特徴とする請求項１記載の靴下補修用ワンタッチパッチ。
【請求項３】
本考案の布製のワンタッチパッチは靴下のつま先部分、踵の部分の曲線的・立体的な部分に倣ってフィットし得る伸縮性を有する布製であることを特徴とする請求項１〜２のいずれかに記載の靴下補修用ワンタッチパッチ。
【考案の詳細な説明】
【技術分野】
【０００１】  本考案は、靴下にできた孔の補修や薄くなった部分の補強を行うためのパッチに関する。
【背景技術】
【０００２】  靴下の穴やストッキングなどに伝線やほころびが生じたときに、靴下の穴の補修やストッキングの伝線を防ぐためのパッチは知られている。
しかし、この種の従来のパッチは、ストッキングの脹ら脛の部分や股の部分など比較的平坦な形状の部分には適しているが、靴下のつま先や踵部分の穴の補修には適さないという欠点があった。
【考案の概要】
【考案が解決しようとする課題】
【０００３】  本考案が解決しようとする課題は、靴下のつま先部分や踵部分のみに適した靴下補修パッチと、これを各種形状の複数枚セットにした靴下補修用ワンタッチパッチセットを提供することにある。
【課題を解決するための手段】
【０００４】  上記課題を解決するために、本考案の靴下補修用ワンタッチパッチ本体１は、はがき形状の大きさのシート（剥離紙）の上部に靴下にできた孔を塞ぐ各種色彩の伸縮性の布２と粘着層３と剥離紙４で構成されており、靴下のつま先部分又は踵の形状に倣ってフィットし得る伸縮性を得る布２に丸型，四角型、楕円型、ハート型５等の各種形状の模様からなり、剥離紙４の上部伸縮性の布２と粘着層３のみを抜き型で抜き、剥離紙４から容易にはがれることを特徴とし、又、この靴下補修ワンタッチパッチは、靴下のつま先部分、踵部分に倣ってフィットし得る伸縮性を有する布をワンタッチパッチ本体に使用しているので、補修した靴下をはいたときにワンタッチパッチを貼った部分に補修しわ等が発生し難い。又、靴下補修ワンタッチパッチは、少なくとも一剥離紙に大小二種類の円形型または四角型、又は、各種形状などで構成されている。
【考案の効果】
【０００５】  本考案の靴下補修ワンタッチパッチによれば、補修後の靴下をはいたときにパッチ体を貼った部分に補修しわが発生し難いので、履き心地を損なうことなく靴下の補修をおこない、靴下の補修は箇所に適した靴下補修ワンタッチパッチを剥離紙から剥がして使用することにより靴下補修をおこなうことができる等の効果が期待できる。
【図面の簡単な説明】
【０００６】
【図１】靴下補修用ワンタッチパッチの平面図である。
【図２】靴下補修用ワンタッチパッチのＡ−Ａの拡大断面図である。
【図３】靴下補修用ワンタッチパッチの他の各種形状の平面図。
【考案を実施するための形態】
【０００７】  本考案の靴下補修用ワンタッチパッチ本体は、はがき形状の大きさのシート（剥離紙）の上部に靴下にできた孔を塞ぐ各種色彩の伸縮性の布と粘着層と剥離紙で構成されており、靴下のつま先部分又は踵の形状に倣ってフィットし得る伸縮性を得る布に丸型，四角型、楕円型、ハート型等の各種形状の模様からなり、剥離紙の上部伸縮性の布と粘着層のみを抜き型で抜き、剥離紙から容易にはがれるような構成にし、常時、外出時にハンドバック、鞄に入れて持ち歩き、靴下に穴が開いた際に、取出して穴の大きさ、色、各種形状に合わせて靴下補修用のワンタッチパッチを剥がし履いている靴下の表側、又は裏側から貼り付ける。これにより、緊急時の靴下の穴を塞ぐことが出来る。
【符号の説明】
【０００８】    １  靴下補修用ワンタッチパッチ本体
２  各種色彩の伸縮性の布
３  粘着層
４  剥離紙
５  丸型，四角型、楕円型、ハート型等
【産業上の利用可能性】
【０００９】  全ての人達に起こりうる外出時の靴下の穴を塞ぐことができる靴下補修用ワンタッチパッチで、靴下を履いたまま、穴を瞬時に塞ぐことができるため産業上の利用可能性は大いにある。
【図１】
0003176621.tif 000003
【図２】
0003176621.tif 000004
【図３】
0003176621.tif 000005
(57)【要約】【課題】防水性能が優れた防水性ＬＥＤ装飾灯を提供する。【解決手段】発光ダイオード１の両極脚と被覆付き電線コード２の被覆を抜かした先端との半田部分を絶縁塗料にて塗布することで塗膜防水を行った防水皮膜３と、両極脚に挟まれた隔離チップ４と、発光ダイオード１と、被覆付き電線コード２とに熱伸縮チューブ５を被せ、熱処理をして縮める。【選択図】図１
0003176685.tif 000002
【実用新案登録請求の範囲】
【請求項１】
発光ダイオードの両極脚と被覆付き電線コードの被覆を抜かした先端との半田部分を絶縁塗料にて塗布することで塗膜防水を行った防水皮膜と、前記両極脚に挟まれた隔離チップと、前記発光ダイオードと、前記被覆付き電線コードとに熱伸縮チューブを被せ、熱処理をして縮めたことを特徴とする防水性ＬＥＤ装飾灯。
【考案の詳細な説明】
【技術分野】
【０００１】
本考案はＬＥＤ灯に属されたものであり、特にＬＥＤ装飾灯に関する。
【背景技術】
【０００２】
ＬＥＤクリスマスイルミネーションシリーズのＬＥＤ装飾灯は、何十球、何百球の発光ダイオードが被覆付き電線コードと半田され、それに発光ダイオードの両極脚の間に隔離チップを挟ませ、その上に熱伸縮チューブを被せ、熱を加えて処理をした物である。
【考案の概要】
【考案が解決しようとする課題】
【０００３】
しかし、発光ダイオードの数が多すぎ、発光ダイオードに被せた熱伸縮チューブがしっかりと縮まって、一粒一粒毎の発光ダイオードが１００％、全て防水レベルになるとは限らない。また、目視検査で１００％選別するのは困難である。現実に使用中、防水性能が弱くて漏電が発生する問題もある。
【０００４】
したがって、本考案の目的は、上記のような問題点を解決するために、防水性能が優れた防水性ＬＥＤ装飾灯を提供することにある。
【課題を解決するための手段】
【０００５】
かかる目的を達成するために、本考案は、以下の特徴を有することとする。
【０００６】
本考案に係る防水性ＬＥＤ装飾灯は、発光ダイオードの両極脚と被覆付き電線コードの被覆を抜かした先端との半田部分を絶縁塗料にて塗布することで塗膜防水を行った防水皮膜と、前記両極脚に挟まれた隔離チップと、前記発光ダイオードと、前記被覆付き電線コードとに熱伸縮チューブを被せ、熱処理をして縮めたことを特徴とする。
【考案の効果】
【０００７】
本考案によれば、元の伝統加工方法、原材料および製品外観を維持することと同時に、発光ダイオードと被覆付き電線コードとが半田された部分を絶縁塗料にて塗布することで塗膜防水を行う工法を添加することによって作られた防水皮膜が防水性能を高め、屋外で使用する際に水や雨にあたって漏電するなどの問題を防止して電気安全性能を高めることができる。
【図面の簡単な説明】
【０００８】
【図１】本実施形態に係る防水性ＬＥＤ装飾灯の構成図である。
【考案を実施するための形態】
【０００９】
以下、本考案による一実施形態について図面を参照して詳しく説明する。ここで説明しようとする図面は本考案に対し、さらに理解を図るための本出願の内容の中の一つの部分になる。また、実施形態および説明は本考案を解釈するもので、本考案の限定の内容にならない。
【００１０】
本実施形態に係る防水性ＬＥＤ装飾灯は、発光ダイオード１と被覆付き電線コード２が半田された部分(発光ダイオード１の両極脚を含め、それと被覆付き電線コード２の被覆を抜かした先端との半田部分)を絶縁塗料にて塗布することで塗膜防水工法を使って作られた防水皮膜３と、発光ダイオード１の両極脚に挟まれた隔離チップ４と、発光ダイオード１と、前記被覆付き電線コード２とに、熱伸縮チューブ５を被せて熱を加えて縮ませる。
【００１１】
以上の内容のように、本考案は防水皮膜加工の上に、隔離チップと熱伸縮チューブを使って水や雨に当たることによる漏電問題を防止した物である。本製品は元の伝統加工工法、原材料および製品外観を維持することと同時に、塗膜防水工法による防水皮膜を有する物であって、防水性能を高め、屋外で使用する際に水や雨にあたっても漏電するなどの電気安全問題の防止を実現した物である。
【００１２】
以上の通り、本実施形態は本考案に対し詳しい説明をしたものであり、具体的に個別例で実施形態の原理および実施方法に対して描述したものである。以上の実施形態の説明は、本実施形態の原理をさらに良く理解ができるような内容に限る。それと同時に、本範囲内の一般の技術者が本実施形態を基に具体的な実施方法および応用範囲上、修正を行うこが可能である。本実施形態の内容は、本考案のみに限ると理解してはならない。
【符号の説明】
【００１３】
１    発光ダイオード
２    被覆付き電線コード
３    防水皮膜
４    隔離チップ
５    熱伸縮チューブ
【図１】
0003176685.tif 000003
(57)【要約】      （修正有）【課題】細菌を抑制でき、保健効果を有する細菌抑制機能付き歯ブラシを提供する。【解決手段】樹脂材料に多数の細菌抑制粒１２を混合して一体成形されるハンドル１３と、ハンドル１３の一端に設けられ、細菌抑制粒１２と樹脂材料とを混合して糸を巻き取って作製される多数の毛１０と、を含み、細菌抑制粒１２は、ナノ重合体１２４により、マイナスイオン粒１２１と、ナノシルバー細菌抑制粒１２２と、ナノ遠赤外線粒１２３と、を結合して構成される。【選択図】図２Ａ
0003176493.tif 000002
【実用新案登録請求の範囲】
【請求項１】
樹脂材料に多数の細菌抑制粒を混合して一体成形されるハンドルと、
前記ハンドルの一端に設けられ、細菌抑制粒と樹脂材料とを混合して糸を巻き取って作製される多数の毛と、
を含み、
前記細菌抑制粒は、ナノ重合体により、マイナスイオン粒と、ナノシルバー細菌抑制粒と、ナノ遠赤外線粒と、を結合して構成されることを特徴とする細菌抑制機能付き歯ブラシ。
【考案の詳細な説明】
【技術分野】
【０００１】
本考案は、歯ブラシに関し、特に、細菌を抑制でき、保健効果を有する細菌抑制機能付き歯ブラシに関するものである。
【背景技術】
【０００２】
歯ブラシは、利用の便利性を考慮すると、浴室に置くことが一般的である。これにより、湿っぽい浴室に歯ブラシを長時間に置くと、細菌や黴菌が繁殖しやすい。しかし、一般的な歯ブラシは細菌を抑制する機能を有しないため、細菌や黴菌が繁殖して歯ブラシのハンドル及び毛に付着する。このように、ユーザがこのような歯ブラシにより、歯を磨いているときには、細菌や黴菌が口腔に進入して、ユーザの健康に悪影響を与える問題があった。
【考案の概要】
【考案が解決しようとする課題】
【０００３】
本考案の主な目的は、細菌を抑制でき、保健効果を有する細菌抑制機能付き歯ブラシを提供することにある。
【課題を解決するための手段】
【０００４】
本考案の細菌抑制機能付き歯ブラシによると、樹脂材料に多数の細菌抑制粒を混合して一体成形されるハンドルと、
ハンドルの一端に設けられ、細菌抑制粒と樹脂材料とを混合して糸を巻き取って作製される多数の毛と、
を含み、
細菌抑制粒は、ナノ重合体により、マイナスイオン粒と、ナノシルバー細菌抑制粒と、ナノ遠赤外線粒と、を結合して構成されることを特徴とする。
【考案の効果】
【０００５】
本考案の細菌抑制機能付き歯ブラシによれば、次のような効果がある。
（１）ナノ重合体により、マイナスイオン粒と、ナノシルバー細菌抑制粒と、ナノ遠赤外線粒と、を結合して構成される細菌抑制粒は、歯ブラシのハンドル及び毛に均一に分布されるため、遠赤外線とマイナスイオンとが放出されて、細胞を活性化でき、血行を促進でき、細菌の繁殖を抑制でき、消臭できる。
【０００６】
（２）ナノ粒同士の間にある隙間が水分子よりも小さいため、水分子は付着できない。これにより、水分子が歯ブラシのハンドル及び毛に付着できないため、歯ブラシを振るだけで、歯ブラシに付着する水分子を除去でき、歯ブラシを乾燥状態に保持でき、細菌の繁殖を回避できる。そしてナノ粒同士の間にある隙間が水分子よりも小さいため、ダニなどが歯ブラシの表面に付着できない。
【図面の簡単な説明】
【０００７】
【図１】本考案の一実施例を示す側面図である。
【図２】本考案の一実施例の一部を示す断面図である。
【図２Ａ】図２におけるＡ部分の拡大図である。
【考案を実施するための最良の形態】
【０００８】
以下、本考案の実施の形態を図面に基づいて説明する。
まず、図１乃至図２Ａを参照する。図１は本考案の一実施例を示す側面図であり、図２は本考案の一実施例の一部を示す断面図であり、図２Ａは図２におけるＡ部分の拡大図である。本考案の一実施例の歯ブラシ１は、ハンドル１３と、多数の毛１０と、を含む。
【０００９】
ハンドル１３は、樹脂材料に多数の細菌抑制粒１２を均一に混合して一体射出成形される。
【００１０】
多数の毛１０は、ハンドル１３の一端に設けられ、細菌抑制粒１２と樹脂材料とを混合して糸を巻き取って作製される。細菌抑制粒１２は、ナノ重合体１２４により、マイナスイオン粒１２１と、ナノシルバー細菌抑制粒１２２と、ナノ遠赤外線粒１２３と、を結合して構成される。
【００１１】
歯ブラシは口腔と直接に接触するため、ユーザは細菌を抑制でき保健効果を有する歯ブラシ１を利用して歯を磨くと、ナノ遠赤外線粒１２３により、遠赤外線が放出されて人体に進入して、細胞を活性化でき、血行を促進でき、マイナスイオン粒１２１により、細胞壁内の電子の交流が促進されて、血液を清浄でき、免疫力を増加でき、青春及び体力を回復でき、そしてナノシルバー細菌抑制粒１２２は、細菌の細胞壁又は細胞膜と結合する能力が強いため、細菌に直接に進入してメルカプタンと結合でき、これにより、細菌の活性が失って繁殖できなくなって、細菌が歯ブラシのハンドルと毛とに進入することを防止できる。このように、本考案の歯ブラシ1によれば、ユーザが歯を磨いているときには、細菌や黴菌が口腔に進入してユーザの健康に悪影響を与える問題を回避でき、ユーザの健康を確保できる。
【００１２】
本考案の使用するナノ粒同士の間にある隙間が水分子よりも小さいため、水分子は付着できず、これにより、水分子が歯ブラシ１のハンドル１３及び毛１０に付着できない。これは、蓮の葉の表面のスーパー疎水性（ｓｕｐｅｒｈｙｄｒｏｐｈｏｂｉｃｉｔｙ）及びセルフクリーニング（ｓｅｌｆ-ｃｌｅａｎｉｎｇ）に相当する。蓮の葉の表面に滴下する雨水は、表面張力により水滴になり、蓮の葉をやや傾斜すると、前記水滴がホコリ及びゴミを連れて去って、蓮の葉の表面を清潔する効果を有する。このため、ユーザが歯を磨いた後、歯ブラシ１を振るだけで、歯ブラシ１に付着する水分子を除去でき、歯ブラシ１を乾燥状態に保持でき、細菌の繁殖を回避できる。そしてナノ粒同士の間にある隙間が水分子よりも小さいため、ダニなどが歯ブラシ１の表面に付着できない。
【００１３】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００１４】
本考案は、歯ブラシに適用することができる。
【符号の説明】
【００１５】
１：歯ブラシ
１０：毛
１２：細菌抑制粒
１３：ハンドル
１２１：マイナスイオン粒
１２２：ナノシルバー細菌抑制粒
１２３：ナノ遠赤外線粒
１２４：ナノ重合体
【図１】
0003176493.tif 000003
【図２】
0003176493.tif 000004
【図２Ａ】
0003176493.tif 000005
(57)【要約】【課題】テニスの試合中にゲームカウント、ゲームスコアーがなにかの理由にて判らなくなるといったことが発生しない為のテニスのゲームカウントスコアー手動回転装置を提供する。【解決手段】使用するテニスラケットグリップ上部にゲームカウントスコアーが判るベースカウント表示弾性ゴム１を少し引張って取付その上にカウント表示上部穴あき弾性ゴム２を重ねオーバーグリップテープの端部のはがれ防止を兼ね備え、テニスの試合でゲームカウントを表示する穴あき弾性ゴム２を擢動可能に装着したことを特徴とする。【選択図】    図１
0003176497.tif 000002
【実用新案登録請求の範囲】
【請求項１】
テニスラケットグリップに握り具合を安定させる為にオーバーグリップテ−プを巻く事が一般ですが、このオーバーグリップテープ上部の端部のはがれを防止するベースカウント表示弾性ゴム１とテニス試合等でゲームカウントを表示するカウント表示上部穴あき弾性ゴム２を合体化したゲームカウントスコアー手動回転表示装置。
【考案の詳細な説明】
【技術分野】
【０００１】
この考案は、ゲームスコアーのカウントを正確に把握しゲームに集中して楽しくプレーできるためのテニスのラケットに関するものである。
【背景技術】
【０００２】
テニスのメジャーな大会、一般公式試合等では、審判者が電光掲示板、手送り表示板等で選手、第三者にスコアーを伝達、表示を行っているのが現状であるが、一般の試合等ではゲームをやっている本人同士のカウントコールでゲームを進行させていっているのが一般的であります、しかしお互いの記憶がなんかの拍子にくい違ってしまう事が多々あります、これを防止する為の小型のカウント表示具が考案されていますが、携帯するもの、また手首に装着するものであったり、ラケット面の下部のガット面に装着するものでした。こうしたものは、家に置いて忘れたり、落としてなくしたり、また衝撃で支障をきたす恐れがありました。
【考案の開示】
【考案が解決しようとする課題】
【０００３】
携帯型、手首に装着して操作する、またガットに装着するカウント表示装置は、下記の理由により操作がスムーズに出来なくて、逆にプレーに集中出来ない面があった。操作がやりずらい、操作している動作がスムーズでない、ボールが直接当たりやすく、当たった時に外れ飛んでしまう、また転倒した場合に衝撃によって支障をきたす恐れが発生する、不携帯、装着忘れが発生する。
本考案は、これらの欠点を解決する為になされたものである。
【課題を解決するための手段】
【０００４】
テニスラケットのオーバーグリップテープ上部の端部のはがれを防止するベースカウント表示弾性ゴム１とカウント表示上部穴あき弾性ゴム２をオーバーグリップテープ上にはさみ、テープのずれを防ぎ尚且つ弾性ゴムは切れない限り落下、飛散は起こらないテープ締め付け兼用のゲームカウントスコアー手動回転表示装置である。
【考案の効果】
【０００５】
ラケットグリップ上部に穴明き弾性ゴムスコアー手動回転装置を装着することにより、見やすく、操作が素早く簡単に出来、確実にカウントポイントが自然体で操作できる。誰もがラケットを手の平で回す一連の動作をやっている姿を見られたと思いますが、集中力を高める効果があると言われており、カウント表示を手元で見るとなお一層集中力が高まり好判断が期待出来る。オーバーグリップの端部のめくれ防止にも効果があり形状がシンプルで、ラケットと一体化していて違和感がない利き腕と反対の手の平の親指と人指し指で回して表示を行う。ゲームカウント数字をポイント毎に手の平で回転表示させ正しくゲームカウントコールが出来、トラブルのない前向きな楽しいテニスが出来る。
【考案を実施するための最良の形態】
【０００６】
添付図面に従って以下本考案の実施の形態を説明を行う。テニスでゲームカウントスコアーを確実に表示でき、カウントポイントが自然体で操作出来るのが目的である、ゲームカウントをポイント毎に手の平で回転表示させることにより実現した。
【実施例】
【０００７】
図１は、本考案の１実施例の斜視図である。図に示すようにラケットグリップ上部に穴明き弾性ゴムスコアー手動回転装置を装着することにより、見やすく、操作が素早く簡単に出来、確実にカウントポイントが自然体で操作できる。誰もがラケットを手の平で回す一連の動作をやっている姿を見られたと思いますが、集中力を高める効果があると言われており、カウント表示を手元で見るとなお一層集中力が高まり好判断が期待出来る。オーバーグリップの端部のめくれ防止にも効果があり形状がシンプルで、ラケットと一体化していて違和感がない利き腕と反対の手の平の親指と人指し指で回して表示を行う。ゲームカウント数字をポイント毎に手の平で回転表示させ正しくゲームカウントコールが出来、トラブルのない前向きな楽しいテニスが出来る。
【０００８】
図２は、上記本考案装置を用いたとしての装着手順及び使用手順を示したものである。テニスオーバーグリップテープ装着後、ベースカウント表示弾性ゴム１をオーバーグリップテープの端部が隠れテープがはがれないように装着して、穴の開いたカウント表示上部穴あき弾性ゴム２をベースカウント表示弾性ゴム１の上に被せ装着する。ベースカウント表示弾性ゴム１に表示するカウントの数字は１  ２  ３もしくは１５  ３０  ４０でもよい。ベースカウント表示弾性ゴム１の色は黒色とし、数字は白色とする。ベースカウント表示弾性ゴム１に表示するカウントの数字は、上記表示と同じ文字の向きで１８０度反対側にも数字を１  ２  ３もしくは１５  ３０  ４０を入れ表示してもよい。
【図面の簡単な説明】
【０００９】
【図１】本考案の１実施例の斜視線
【図２】本考案の装着手順、使用手順を示す説明図
【符号の説明】
【００１０】
１    ベースカウント表示弾性ゴム
２    カウント表示上部穴あき弾性ゴム
【図１】
0003176497.tif 000003
【図２】
0003176497.tif 000004
(57)【要約】      （修正有）【課題】容易に体位変換が出来、被介護・介護者共に負担を大幅軽減出来る体位変換トレイを提供する。 【解決手段】シート２上に配置したトレイ１の四隅にあるグリップ７を介護者が矢印方向に引き寄せることで、被介護者の体位変換出来る。腕力による寝姿勢の変換ではなく、寝姿勢のままトレイに保持し移動を可能にさせることで被介護・介護者共に負担の少ない体位変換が可能となる。【選択図】図１
0003176455.tif 000002
【実用新案登録請求の範囲】
【請求項１】
上面にラック形状の突起を有し、底面に位置決めしやすくするための滑りやすい部分と滑り止めを貼付したシートと、シート上に安全且つしっかり固定するベルトと強度及び作業効率を高めるための窪みを有し、ラック形状の突起が外側に配置された半円筒形のトレイに被介護者を格納して一体として回転させることにより体位変換出来る体位変換装置。
【考案の詳細な説明】
【技術分野】
【０００１】
疾病や高齢により寝たきり状態が長く続いている者の多くは、寝返りが出来ずに床ずれや皮膚疾患を起こしやすい。これらを防ぐ為の体位変換は介護者にとって負担が大きく、被介護者にとっても苦痛である。これらを軽減する体位変換装置に関するものである。
【背景技術】
【０００２】
自ら寝返りが出来ない者を専用トレイで保持し、その状態のままで体位変換をすることにより介護者の作業は容易となり被介護者の負担も少なくなる。
【先行技術文献】
【特許文献】
【０００３】
体位変換装置は形状・構造及び使用方法など大差があるものの、先行技術は既に存在する。
【特許文献１】登録実用新案第3129819号
【考案の概要】
【考案が解決しようとする課題】
【０００４】
寝たきり状態が長くなると床ずれ等を起こす者は多く、それを防止するための介護者が行う体位変換は大きな負担が伴ううえに、被介護者にとっても介護者による多くの接触に不快・嫌悪を感じる者もいるという問題がある。また既存の体位変換の補助装置は扱いにくいうえに、相当の力や使用上のコツを要するという問題もある。
【課題を解決するための手段】
【０００５】
被介護者を専用トレイに格納してそのまま行う体位変換を行うことにより作業量を減らし、被介護者・介護者共に負担も軽減すると同時に、介護経験の浅い者にも容易に体位変換することが可能となる。
【考案の効果】
【０００６】
介護者の能力や経験などに過度に依存することなく、介護に不慣れな者にも容易に且つ過度な被介護者との接触することもなく体位変換が出来る。
【実施例】
【０００７】
以下に添付図図１、図２、図３、図４、図５、図６、図７、添付表  表１に従って実施例を説明する。
【０００８】
本考案の実施の形態について説明する。
（１）横臥状態の被介護者の側面にトレイ１を配置し、シート脱着溝５で床面と被介護者の間に出来る隙間にシート２の一端を挿入して体側の反対側から取りし、シートラック８とトレイラック３をシート２を噛み合わせながら位置を決める。この際、シート２は体位変換する移動方向にシート２中央部がくるように、またトレイ１の移動方向も同一方向となるよう配置する。
（２）トレイ１に被介護者を格納し、トレイベルト４で固定する。
（３）介護者は被介護者の格納固定したままグリップ７を引き寄せトレイ１を回転させ、体位変換の位置で止める。
（４）一方の手でトレイ１を保持したまま、他方の手で固定していたトレイベルト４を開放しトレイ１から被介護者を床上に移し安定させる。
（５）シート２をトレイ１のシート脱着溝５の隙間から引き抜き、最後にトレイ１を被介護者の側面から取り外す。
【０００９】
図１は、本考案の使用時のイメージである。シート２上に配置したトレイ１の四隅にあるグリップ７を介護者が矢印方向に引き寄せることで、被介護者の体位変換出来る。図２はトレイ１の底面図であるが、シート脱着溝５を挟んでトレイラック３が平行に設置してある。これはシート２のシートラック８とのラック各々が噛み合わせ空回りすることなくトレイ１が確実な回転を意図したものである。図３はトレイ１の上面図である。被介護者がトレイ１内でズレや落下がないよう左右・上下のトレイベルト４で保持し、両端のマジックテープ(登録商標）６で固定する。またトレイベルト４はトレイ１の内側に被介護者を包み込み固定出来る形状・構造にした。
図４はトレイ１の若干右斜めから見た側面図。シート脱着溝５部分の両端にトレイラック３を平行に配置した。またトレイ１の四隅にはグリップ７の穴を有しており、介護者がトレイ１を回転させる際に握りやすく、且つトレイ１の回転に支障のない位置に配置した。尚シート脱着溝５の窪みは、回転する際のトレイ１のねじれによる変形を防ぐ強度の為と、体位変換後シート２を引抜く際の隙間という二つの必要性から設けた。図５はシート２の側面図である。シート２上部中央にはシートラック８が配置されており、裏面には滑りやすい素材のポリエチレン素材が貼付されたスカート９、その両端には滑り止め１０を貼付した。シート２の幅は中央部より両端の幅を狭くしてある。これは体位変換後シート２をトレイ１のシート脱着溝５から引き抜きやすくするためである。尚シート２は軽く、尚且つ弾力性を持ちながら下方向へ局所的な圧を分散させるための硬度も有するポリウレタン素材を使用している。図６はシート２の上面図である。図７はシート２の下面図で、シート２中央部裏面のスカート９部分は滑りやすく摩擦性に劣るポリエチレン素材を貼付、またスカート９の左右両端には滑り止め１０がほぼ平行に貼付してある。
【００１０】
尚、本考案装置使用による作業効率を調べるため下記実験を行った結果は次の通り(表１)。
測定値平均で約8.6秒作業時間を短縮することから、作業効率はあがったと考えることが出来る。
実験方法は次の通り。本考装置(試作)を使用して作業開始から終了までに要した時間を測定する。一方実際の体位変換(映像)も同様に時間を測定し数値を比較した。尚、実験データの精度を上げるため、映像測定、実験も共に複数回実施した。
【００１１】
【表１】
0003176455.tif 000003
【図面の簡単な説明】
【００１２】
【図１】本考案の使用イメージ図である。
【図２】トレイ１底面図。
【図３】トレイ１上面図。
【図４】トレイ１の右斜め側面から見た図。
【図５】シート２側面図。
【図６】シート２の上面図。
【図７】シート２の下面図。
【符号の説明】
【００１３】
１  トレイ
２  シート
３  トレイラック
４  トレイベルト
５  シート脱着溝
６  マジックテープ(登録商標)
７  グリップ
８  シートラック
９  スカート
１０  滑り止め
【図１】
0003176455.tif 000004
【図２】
0003176455.tif 000005
【図３】
0003176455.tif 000006
【図４】
0003176455.tif 000007
【図５】
0003176455.tif 000008
【図６】
0003176455.tif 000009
【図７】
0003176455.tif 000010
(57)【要約】      （修正有）【課題】屋外で事故などに被災した場合に、容易に本人の確認ができる靴を提供する。【解決手段】靴のアッパー１の裏面であって、舌革１１や爪先皮１２、先芯１３の裏面などに、耐水性の、防水チャック３１で挿入口を構成したカード収納容器３を設けて構成する。【選択図】図１
0003176452.tif 000002
【実用新案登録請求の範囲】
【請求項１】
靴を底板とアッパーとで区分した場合に、
そのアッパーの裏面であって、舌革や爪先皮、先芯などの裏面に、
防水チャックで挿入口を構成した耐水性のカード収納容器を設けて構成した、靴の構造。
【請求項２】
靴を底板とアッパーとで区分した場合に、
そのアッパーの表面の前面、側面、背面に、
防水チャックで挿入口を構成した耐水性のカード収納容器を設けて構成した、靴の構造。
【考案の詳細な説明】
【技術分野】
【０００１】
本考案は、氏名、住所、血液型などの情報を常時携帯できる靴の構造に関するものである。
【背景技術】
【０００２】
屋外で事故が発生した場合に、その被害者の個人の特定が必要であるが、それが困難な場合が想定される。
特に地震や津波のように大勢の負傷者、死者が同時に発生した場合には、その身元の確認、特定がきわめて困難となっている。
そのために、個人情報を記載したカードなどを常時ポケットに入れて携帯していれば安心である。
【考案の概要】
【考案が解決しようとする課題】
【０００３】
しかし一般の人は、季節や好み、目的に応じて相当多種類の衣服を所持している。
それらの人が、すべての衣服に情報を記入したカードを備えること、それを持ち歩くことは困難である。
さらに衣服は頻繁に洗濯をするから、その度にカードを取り出して、洗濯後に収納するという行為もきわめて煩わしく実用的ではない。
【課題を解決するための手段】
【０００４】
上記のような従来の問題を改善するためになされた本考案は、靴のアッパーの裏面であって、舌革や爪先皮、先芯の裏面に耐水性の、防水チャックで挿入口を構成したカード収納容器を設けて構成したものである。    
【考案の効果】
【０００５】
本考案は上記したようになるから、以下のような効果の少なくともひとつを得ることができる。
＜１＞  上記の構成の靴を購入した場合には、蓋付きの容器に身分を証明するカードなどを挿入して使用する。
＜２＞  そして外出時には、必ず靴を履いており、しかも靴はひもやゴムなどで脱げにくく構成してあるから、被害者の身体から離れにくい。
＜３＞  この点で、下着や上着、コートのポケットに身分情報を備えていれば同じ効果を得られるはずであるが、上記したように実際には衣服は多数の点数を所持しており、洗濯の回数も多いので、常にカードを携帯することは困難である。
＜４＞  それに対して一般人では靴の所有数はそれほど多くはなく、被服のように季節や好み、目的に応じて多数、多種類の靴を持っている人は少なく、洗濯の機会も少ない。
＜５＞  よって靴に蓋つきの収納容器が設けてあれば、数点の靴に情報を保存しておくだけで、身分情報を確保することができる。
【図面の簡単な説明】
【０００６】
【図１】革靴における実施例の説明図。
【図２】運動靴における実施例の説明図。
【図３】ハイヒールにおける実施例の説明図。
【実施例】
【０００７】
次に本考案の実施例について説明する。
【０００８】
＜１＞靴の構造
まず靴の構造について説明すると、靴は底２とアッパー１で区分することができる。
すなわちアッパー１とは底２を除いた上の部分の総称である。
そして本考案の対象とする靴は、革靴、運動靴、ハイヒールなどすべての靴を対象とすることができる。
【０００９】
＜２＞収納容器
収納容器３とは防水材料で構成した袋体である。
その一部には防水チャック３１のような開閉自在の挿入口を開口する。
その防水チャック３１部分から、個人情報を記入したカードを挿入することができる。
【００１０】
＜３＞取り付け場所
収納容器３は、靴のアッパー１の一部の裏側に接着、縫込みなどで設置する。
例えば革靴の場合には、舌革１１と称する部分の裏面、あるいは爪先皮１２の裏面、あるいは先芯１３の裏面、踵の裏面などである。    
運動靴などでは、デザイン的に美観を損なわなければ、アッパー１の表面、すなわちアッパー１の上面、側面、背面に、前記の収納容器を取り付けることもできる。
その場合にも収納容器３の挿入口は防水チャック３１で保護しておけば、個人情報のカードが汚れたり破損することがない。
【００１１】
＜４＞マークの設定
外出するときには当然靴を履くが、通常は数十足も保有している人は少なく、せいぜい数足程度である。
その程度の靴数であれば、すべての靴の収納容器に個人情報を記入したカードを挿入することもさほど困難ではない。
さらに運動靴以外では洗濯するということはほとんどないから、いったんカードを挿入しておけばそのまま保持、保管することができる。
しかしこの靴を履いていて事故にあった場合に、警察や消防の担当者がその靴の内部の情報に気が付かなければ役に立たない。
そこで靴のいずれかの位置に、特別のマークを貼り付け、このマークがあれば個人情報が保管されていることが分かる制度を提案したい。
【符号の説明】
【００１２】
１：アッパー
１１：舌革
１２：爪先皮
１３：先芯
２：底
３：収納容器
３１：防水チャック
【図１】
0003176452.tif 000003
【図２】
0003176452.tif 000004
【図３】
0003176452.tif 000005
(57)【要約】      （修正有）【課題】外部エネルギーを必要とせず、尚かつ環境に負荷を掛けることなく需要要求毎に応じた電力を供給することができる発電装置を提供する。【構成手段】モーター１と駆動される発電機３の間に無断変速機２により発電機３により発生した電気量を変圧する変圧器４と変圧器４により変圧された電気量のバッテリー６とからなり、バッテリー６の電気量によりモーター１に駆動すると共に余分な電気量はレギュレーター５の調整によりバックアップすることが出来る。【選択図】図１
0003176401.tif 000002
【実用新案登録請求の範囲】
【請求項１】
モーターと、該モーターによる駆動される発電機と、該発電機により発生した電気量を変圧する変圧器と、該変圧器により変圧された電気量のバッテリーとからなり、該バッテリーの電気量により上記モーターに駆動すると共に余分な電気量をレグレターの調整によって、バッテリーへバックアップすることを特徴とする発電装置
【考案の詳細な説明】
【技術分野】
【０００１】  本考案は、モーターの駆動量を十分に利用して発電できる発電装置に関するものである。
【背景技術】
【０００２】  従来の発電装置としては、自然エネルギーを利用する水力発電、風力発電、太陽光発電、または、燃焼エネルギーを利用した火力発電、原子力発電等が知られている。これらの発電装置は、電力を需要家の受電設備に供給するためには、送電、変電、配電を統合した電力系統システム構築が必要である。【０００３】  しかしながら、従来の発電装置は、外部エネルギーを供給し続けなければ発電を持続することができない。また、自然エネルギーを利用する発電装置は、天候等の自然環境により発電効率が大きく左右されてしまい、燃焼エネルギーを利用する発電装置はＣＯ２排出による地球温暖化問題、或いは事故により地球規模の放射能環境汚染が発生している。また、それらの発電装置は送電線にて電力を供給するため、その抵抗特性により需要家に届くまでの間に、相当量の電力が消耗してしまうという欠点があった。
【考案の概要】
【考案が解決しようとする課題】
【０００４】  そこで、本考案は、外部エネルギーを必要とせず、尚かつ環境に負荷を掛けることなく需要要求毎に応じた電力を供給することができる発電装置を提供することを目的とする。【０００５】  更に、本考案の発電装置では、需要家毎に一体化したユニット装置を提供することにより、最小限の送電設備で対応が可能である。そのため、抵抗特性による消耗を最小限に抑えられる。【０００６】  更に、本考案の発電装置では、燃焼熱エネルギーを一切使用することがないため、ＣＯ２或いは放射性物質を生成することはない。
【課題を解決するための手段】
【０００７】  上記課題を達成するために、本考案は、モーターと、該モーターによる駆動される発電機と、該発電機により発生した電気量を変圧する変圧器と、該変圧器により変圧された電気量のバッテリーとからななり、該バッテリーに充電された電気量により上記モーターに駆動すると共に余分な電気量を調整するためのレギュレーターによって構成された発電装置である。
【考案の効果】
【０００８】  即ち、モーターによって発電機を駆動して発電された電気量は、例えば高圧変圧器により変圧されてバッテリーに充電され、バッテリーに充電された電気量によりモーターを駆動すると共に余分な電気量をバックアップ用バッテリーに充電することも出来る。  したがって、本考案によれば、バッテリーに充電された電気量によりモーターを駆動して発電するので、外部からのモーターの駆動力をできるだけ少なくして発電することができる。  また、本考案では、バッテリーに充電される余分な電気量はレギュレーターによって調整するため、バッテリーが破壊されることがない。【００９】  更に、本考案の発電装置は、前記構成部品を一体化したユニット形態とすることによって、必要最小限の送電設備で対応が可能である。
【図面の簡単な説明】
【００１０】
【図１】この考案に係わる発電装置の実施例を示す概略図
【図２】この考案に係わる発電装置の他の実施例を示す概略図
【符号の説明】１はモーター１ａはモーターの駆動軸２は変速機３は発電機４ａは変圧器４ｂは高圧変圧器５はレギュレーター６はバッテリー７は内コイル８は外コイル９はバックアップ電池
【考案を実施するための形態】
【００１１】  以下、本考案の実施の形態を図に基づいて説明する。
【実施例１】
【００１２】  以下、本考案を図示の実施例に基づいて詳細に説明すると、１はモーター、２は無断変速機、３はモーター１により駆動される発電機、４は発電機３により発生した電気量の変圧器、５はレギュレーター  ６は変圧器４により変圧された電気量のバッテリー、バッテリー６に充電された電気量はモーター１を駆動するために使用され、余分な電気量はレギュレーター５を通してバックアップ電池９に充電される。【００１３】  以上のような構成において、モーター１による駆動により発電機３で発生した電気量は、例えば高圧変圧器４ｂで変圧され、変圧された電気量はバッテリー６に充電される  バッテリー６に充電された発電量はモーター１の駆動に供され、余分な電気量はレギュレーター５を通してバックアップ電池９に充電される。  図２は、第２の実施例を示すものであり、モーター１の外周には環状の内コイル７と外コイル８を設けると共に、内コイル７と外コイル８の間には発電機を構成する磁石３がモーター１の駆動軸１ａに結合されて配置される。【００１４】  また、この実施例では変圧器は変圧器４ａで構成され、更にバッテリー６に充電された電気量によりモーター１を駆動し、余分の電気量をレギュレーター５によりバップアップすることもできる。【００１５】  以上の構成において、モーター１が駆動して駆動軸▲４▼ａに結合された磁石３が内コイル７と外コイル８の間を回転すると、内コイル７と外コイル８により磁石３内には起電力が発生し、この起電力は変圧器４で変圧され、更に高圧変圧器４ｂで変圧され、バッテリー６に充電される。【００１６】  尚、上記の実施例では発電機により発生した電気量は一つのバッテリーにより充電されていたが、二つ以上のバッテリーを設けて発電するようにしてもよい。
【考案の効果】
【００１７】以上要するに、この考案によればモーターの駆動量が発電機の発電量に比べて十分に大きな場合にもモーターの駆動量を十分に利用することができる。
【００１８】また、この考案によればバッテリーに充電された電気量によりモーターを駆動して発電するので、外部からのモーターの駆動力を出来るだけ少なくして発電することが出来る。
【００１９】更に、この考案ではバッテリーに充電される余分な電気量はバックアップバッテリー電池に充電することも出来る。
【図１】
0003176401.tif 000003
【図２】
0003176401.tif 000004